(57)【特許請求の範囲】
【請求項１】
着用者の肌に当接する液透過性のトップシートと、バックシートと、前記トップシートとバックシートとの間に位置する吸収コアと、が設けられた吸収性物品において、
前記吸収コアの両側方で肌当接面側に位置するシートの表面に、シリコーン系化合物の層が形成されており、
前記シリコーン系化合物の層は、前記シート表面に接する第１のシリコーン系化合物の第１層と、第１層の上に形成された前記第１のシリコーン系化合物より表面張力が低い第２のシリコーン系化合物の第２層とからなることを特徴とする吸収性物品。
【請求項２】
着用者の肌に当接する液透過性のトップシートと、バックシートと、前記トップシートとバックシートとの間に位置する吸収コアと、が設けられた吸収性物品において、
前記吸収コアの両側方で肌当接面側に位置するシートの表面に、シリコーン系化合物の層が形成されており、
前記シリコーン系化合物の層は、第１のシリコーン系化合物と前記第１のシリコーン系化合物より表面張力が低い第２のシリコーン系化合物との混合物で形成されており、前記層の表面に、第２のシリコーン系化合物が第１のシリコーン系化合物より多く現れていることを特徴とする吸収性物品。
【請求項３】
吸収性物品の肌当接側表面から延びる防漏カフを有し、前記防漏カフの表面と裏面のうちの少なくとも１面に前記シリコーン系化合物の層が形成されている請求項１または２記載の吸収性物品。
【請求項４】
前記吸収コアの両側方に延びるフラップ部を有し、前記フラップ部の肌当接側表面に前記シリコーン系化合物の層が形成されている請求項１ないし３のいずれかに記載の吸収性物品。
【請求項５】
前記第２のシリコーン系化合物の表面張力が、３０．０ｍＮ／ｍ以下である請求項１ないし４のいずれかに記載の吸収性物品。
【請求項６】
前記第１のシリコーン系化合物がシリコーン樹脂である請求項１ないし５のいずれかに記載の吸収性物品。
【請求項７】
前記第２のシリコーン系化合物はシリコーンオイルである請求項１ないし６のいずれかに記載の吸収性物品。
【請求項８】
前記シリコーンオイルのポリシロキサン骨格導入率が３０〜１００％である請求項７記載の吸収性物品。
【請求項９】
前記シリコーンオイルの重合度は１００以下である請求項７または８記載の吸収性物品。
【発明の詳細な説明】
【０００１】
【発明の属する技術分野】
本発明は、吸収性物品に関する。更に詳しくは、排泄物を確実にトップシートへと導き、且つ滲み出しによる横漏れも防止することができる防漏カフ、あるいはフラップを設けた吸収性物品に関する。またさらに詳しくはシリコーン系化合物層を有する防漏カフ、あるいはフラップを設けた吸収性物品に関する。
【０００２】
【従来の技術】
生理用ナプキン、パンティライナー、使い捨ておむつ、尿取りパッドなど、排泄物を吸収させるための吸収性物品が多く使用されている。これら吸収性物品は、装着者の肌側に位置して排泄液を透過させる液透過性トップシートと、下着側に位置するバックシートと、前記トップシートとバックシートの間に挟まれた吸収コアとから構成される。さらにこれらの吸収性物品では、横方向に排泄液（排泄物）が移動して吸収性物品の外へと漏れることを防止するため、両側部には防漏カフが設けられる。このような吸収性物品では、装着時に物品内の湿度が高くなることを防止するため、通気性を持つ素材で形成され、例えば防漏カフは疎水性繊維からなる不織布で形成されている。
【０００３】
【発明が解決しようとする課題】
しかし、疎水性繊維からなる不織布では、排泄物が不織布に付着し、吸収性物品の着用者の体圧によって排泄物が防漏カフの外側面へ滲み出すことがある。
【０００４】
また疎水性繊維からなる不織布で防漏カフを形成した場合、排泄液が一旦防漏カフに接触すると少量ではあるものの排泄液が防漏カフに付着してしまう。特に経血など蛋白質を含む液体は不織布などに強固に付着する。よって、生理用ナプキン等においては、使用後の廃棄時に、防漏カフに付着した経血の色によって装着者が不快感を感じ易い。
【０００５】
また軟便や水様便などの高粘度流体も不織布などに付着しやすいため、使い捨ておむつなどにおいては、軟便や水様便が防漏カフに付着することによって装着者に不快感を与える。
【０００６】
本発明は上記従来の課題を解決するものであり、排泄物の滲み出しによる横漏れを効果的に防止でき、また前記排泄物がトップシート以外の領域で付着しにくい吸収性物品を提供することにある。
【０００７】
【課題を解決するための手段】
本発明は、着用者の肌に当接する液透過性のトップシートと、バックシートと、前記トップシートとバックシートとの間に位置する吸収コアと、が設けられた吸収性物品において、
前記吸収コアの両側方で肌当接面側に位置するシートの表面に、シリコーン系化合物の層が形成されており、
前記シリコーン系化合物の層は、前記シート表面に接する第１のシリコーン系化合物の第１層と、第１層の上に形成された前記第１のシリコーン系化合物より表面張力が低い第２のシリコーン系化合物の第２層とからなることを特徴とする吸収性物品である。
また、本発明は、着用者の肌に当接する液透過性のトップシートと、バックシートと、前記トップシートとバックシートとの間に位置する吸収コアと、が設けられた吸収性物品において、
前記吸収コアの両側方で肌当接面側に位置するシートの表面に、シリコーン系化合物の層が形成されており、
前記シリコーン系化合物の層は、第１のシリコーン系化合物と前記第１のシリコーン系化合物より表面張力が低い第２のシリコーン系化合物との混合物で形成されており、前記層の表面に、第２のシリコーン系化合物が第１のシリコーン系化合物より多く現れていることを特徴とする吸収性物品である。
【０００８】
本発明では、吸収コアの両側方に位置する防漏カフおよび／またはフラップ部にシリコーン系化合物層が設けられているので、排泄物が防漏カフおよび／またはフラップ部の外側面に滲み出ることを防止できる。さらに、シリコーン系化合物層の表面には排泄物が付着しにくく、特に蛋白質を含んだ経血であっても付着しにくい。よって前記防漏カフやフラップ部に前記経血などが付着しにくくなり、吸収性物品の交換時などに不快感を与えにくいものとなる。
【０００９】
吸収性物品の肌当接側表面から延びる防漏カフを有し、前記防漏カフの表面と裏面のうちの少なくとも１面にシリコーン系化合物の層が形成されていることができる。
【００１０】
また、前記吸収コアの両側方に延びるフラップ部を有し、前記フラップ部の肌当接側表面にシリコーン系化合物の層が形成されていてもよい。
【００１４】
第２のシリコーン系化合物の表面張力が、３０．０ｍＮ／ｍ以下であることが好ましい。
【００１５】
前記第１のシリコーン系化合物がシリコーン樹脂であることが好ましい。
前記第２のシリコーン系化合物はシリコーンオイルであることが好ましい。この場合、前記シリコーンオイルのポリシロキサン骨格導入率が３０〜１００％であることが好ましい。さらに、前記シリコーンオイルの重合度は１００以下であることが好ましい。
【００１６】
【発明の実施の形態】
図１は本発明の第１の実施の形態の吸収性物品として生理用ナプキンを示す平面図、図２は図１のＩＩ−ＩＩ線の断面図である。生理用ナプキンの横方向をＸ方向とし、縦方向をＹ方向とする。また、装着者へ方向をＺ１方向とし、下着などの外部装着体への方向をＺ２方向とする。
【００１７】
図１及び図２に示す生理用ナプキン１は、装着者の肌に対面する液透過性のトップシート４と、下着側に対面するバックシート２と、前記トップシート４とバックシート２との間に挟まれる吸収コア３とを有して砂時計形状に形成されている。すなわち、砂時計形状の吸収コア３の周辺において、吸収コア３より一回り大きな砂時計形状のトップシート４とバックシート２とが接合されている。このトップシート４とバックシート２とが接合されたものが前記吸収コア３の横方向の両側に延出して、フラップ部６、６が形成されている。
【００１８】
また、横方向の両側において、吸収コア３の上に位置するトップシート４の上面から上方へ防漏カフ５、５が延びており、この防漏カフ５、５は、前記縦方向に延びている。
【００１９】
前記防漏カフ５はシートで形成されており、前記シートは生理用ナプキン１の横方向の両側縁部１Ｒ、１Ｌまで延びて、前記トップシート４の表面に接合され、防漏カフ５を形成している前記シートと前記トップシート４と前記バックシート２とで前記フラップ部６、６が形成されている。
【００２０】
前記シートは、前記吸収コア３上に位置する固定端５ｂを起点として肌当接側に延びる自由端５ａが立ち上がって前記防漏カフ５，５が形成されている。自由端５ａには、Ｙ方向へ延びる弾性部材７が伸長した状態で接合されている。
【００２１】
前記防漏カフ５、５の縦方向（Ｙ方向）の両端部は、生理用ナプキン１の肌当接側での縦方向両端部１ｅにおいて自由端５ａがトップシート４側へ倒れるように接合されており、その結果、自由状態では弾性部材７が収縮し、生理用ナプキン１が縦方向へ向けて肌当接側が凹状に湾曲変形し、またその結果、図２に示すように防漏カフ５は固定端５ｂから自由端５ａが肌当接側へ向けてＺ１方向へ立ち上る。なお、図２においては固定端５ｂが吸収コア３上で形成されているが、固定端５ｂは前記フラップ部６上に形成されてもよい。
【００２２】
吸収性物品の縦中央線Ｌ０に対面する防漏カフ５の表面、すなわち内側面５ｍには、固定端５ｂから自由端５ａまでシリコーン系化合物の層８が設けられている。シリコーン系化合物の層８は撥水性が高いため、吸収コア３で吸収しきれなかった経血などの排泄液がＸ方向へ多量に移動し、排泄液と層８とが接触した部分に体圧がかかったとしても、排泄液は前記層８から防漏カフ５の外側面５ｎへ滲み出て透過することがないため、横漏れを防止できる。またシリコーン系化合物の層８が設けられている箇所に経血が接触しても、経血はシリコーン系化合物の層８の表面上には付着せず、層８の表面をＺ２方向へ滑り落ち、吸収コア３によって吸収される。よって、生理用ナプキン１を使用後に廃棄するとき、装着者は経血で汚れた防漏カフを目にすることが無くなり、装着者は視覚的に不快感を感じにくくなる。
【００２３】
なお、シリコーン系化合物の層８は、防漏カフ５の表面と裏面、すなわち内側面５ｍから外側面５ｎの双方に設けられていてもよい。また、図２においてはシリコーン系化合物の層８が防漏カフ５は自由端５ａを完全に覆っているが、自由端５ａはシリコーン系化合物の層８に覆われてなくてもよい。
【００２４】
前記防漏カフ５を形成するシートは、例えばキュプラ、レーヨン、アセテートなどのセルロース系化合物、ナイロン６、ナイロン６６、芳香族ナイロンなどのポリアミド系化合物、ビニロンなどのポリビニルアルコール系化合物、ビニリデンなどのポリ塩化ビニリデン系化合物、ポリ塩化ビニルなどのポリ塩化ビニル系化合物、ポリエチレンテレフタレートやポリアクリレートなどのポリエステル系化合物、アクリルなどのポリアクリロニトリル系化合物、低密度系ポリエチレン、高密度ポリエチレン、直鎖状低密度ポリエチレンなどのポリエチレン系化合物、ポリプロピレンなどのポリプロピレン系化合物、ポリウレタンなどのポリウレタン系化合物及びベンゾエートなどのポリアルキレンパラオキシベンゾエート系化合物からなる群より選ばれる少なくとも一種の化合物から形成された繊維及び／または天然繊維（コットン、麻、絹、パルプなど）により構成された不織布や、前記少なくとも一種の化合物から形成されたフィルムやネットである。好ましくは通気性をもつもので形成することが好ましい。さらに好ましくは、ＰＥ繊維、ＰＰ繊維、ポリエチレンテレフタレート（ＰＥＴ）繊維や、ＰＥ／ＰＰまたはＰＥ／ＰＥＴなどの複合繊維（すなわち芯鞘型繊維やサイドバイサイド型繊維）等から形成されるスパンレース不織布、スパンボンド不織布、エアースルー不織布、サーマルボンド不織布である。熱可塑性繊維を含んだ不織布であれば、生理用ナプキン１に熱溶着によって接合でき、さらに肌に対する感触に優れたものとなる。
【００２５】
なお、表面にシリコーン系化合物を均一に薄く塗工できるように、防漏カフを形成する前記シートの表面は濡れ性が高いことが好ましい。例えばポリエチレンフィルムなどからなるシートで防漏カフ５を形成する場合、シリコーン系化合物の塗工に先立ち、コロナ放電処理を施して濡れ性を向上させることもできる。
【００２６】
シリコーン系化合物の層８はシリコーンオイル、シリコーン樹脂、シリコーンワニス、シリコーンゴム等の公知のシリコーン系化合物を２種以上用いて形成することができる。
【００２７】
またシリコーン系化合物の層８は２種類のシリコーン系化合物から形成する。具体的には、防漏カフ５の表面に接触するように設けられた第１のシリコーン系化合物の第１層と、第１層の表面に面する第２のシリコーン系化合物の第２層とからなる。または、シリコーン系化合物の層８は、第１のシリコーン系化合物と第２のシリコーン系化合物との混合物の層であり、第２のシリコーン系化合物が前記層８の表面に第１のシリコーン系化合物より多く現れている。なおこれらの場合、第２のシリコーン系化合物として第１のシリコーン系化合物より表面張力の低いものを使用しているので、層８の表面に、排泄物、例えば経血が付着しにくいものとなる。なお、ここでいうシリコーン系化合物の表面張力は液体状態の表面張力を意味する。ただし、シリコーン系化合物の固定後（固体化後）においても、第１のシリコーン系化合物の表面張力が第２のシリコーン系化合物の表面張力より大きい。
【００２８】
２種類のシリコーン系化合物から形成されるシリコーン系化合物の層８は以下の（１）〜（３）の方法によって得ることができる。
【００２９】
（１）防漏カフ５を形成するシートの表面に第１のシリコーン系化合物を塗工して架橋させ、下地層を形成し、下地層の固定後、下地層の表面に第２のシリコーン系化合物を塗工して表面層を形成する方法。
【００３０】
（２）第１のシリコーン系化合物と、第１のシリコーン系化合物より表面張力の低い第２のシリコーン系化合物との混合物を、シートの表面に塗工してシリコーン混合物層を形成し、第２のシリコーン系化合物がシリコーン混合物層の表面側へ移行し、第１のシリコーン系化合物がシート側へ移行した状態でそれぞれのシリコーン系化合物を架橋させる方法。
【００３１】
（３）第１のシリコーン系化合物と、第１のシリコーン系化合物より表面張力の低い第２のシリコーン系化合物との混合物をシートの表面に塗工してシリコーン混合物層を形成し、架橋後、ブリーディングさせることにより第２のシリコーン系化合物が主にシリコーン系化合物の層８の表面に現れるようにする方法。
【００３２】
前記（１）では、シートに第1のシリコーン系化合物を塗工・固定後、第２のシリコーン系化合物系を塗工して２層構造を形成するので、第１のシリコーン系化合物と第２のシリコーン系化合物は、反応性ポリマーと非反応性化合物のどちらを使用しても良い。
【００３３】
前記（２）（３）においては、第１のシリコーン系化合物として反応性ポリマーを、第２のシリコーン系化合物として非反応性化合物を好ましく使用する。前記（２）においては、第１のシリコーン系化合物と第２のシリコーン系化合物とを混合したものを塗工した状態でしばらく放置すると、第１のシリコーン系化合物が基材シート側に移行し、また第２のシリコーン系化合物が表面側に移行する。この状態で架橋処理を行ない、シリコーンを防漏カフ５の表面に固定する。
【００３４】
前記（３）においては、第１と第２のシリコーン系化合物を混合したものを塗工した直後、すぐに加熱などの架橋処理を行なう。すると、第２のシリコーン系化合物が表面側にブリーディングする。これは、非反応性の第２のシリコーン系化合物の表面張力が第１のシリコーン系化合物より小さいために起こると思われる。（３）の場合、防漏カフ５から層８の表面に向かって第２のシリコーン系化合物の量が徐々に多くなっている。
【００３５】
次に、第１のシリコーン系化合物について説明する。排泄物の付着防止効果を高めるためには、第１のシリコーン系化合物は表面張力が３０．０ｍＮ／ｍ以下であることが好ましい。なお、本発明でいう表面張力は、標準状態（気温２０℃）で測定されたものとする。
【００３６】
第１のシリコーン系化合物はシロキサン構造を基本骨格とする反応性をもつシリコーンオイルであることが好ましい。例えば、メチルハイドロジエンシリコーンオイル、ポリジメチルシロキサンジオール、エポキシ変性シリコーンオイル、カルボキシル変性シリコーンオイル、メタクリル変性シリコーンオイル、アルコール変性シリコーンオイル、メルカプト変性シリコーンオイル、ビニル変性シリコーンオイル及びアミノ変性シリコーンオイルからなる群より選ばれる少なくとも一種の化合物であることが好ましい。これらは、塗工後、乾燥・加熱等の処理により、防漏カフ５の表面に固着する。
【００３７】
また、前記（１）においては、第１のシリコーン系化合物として非反応性のシリコーン系化合物も使用できる。その場合、非反応性のシリコーン系化合物を塗工し、ＵＶ・ＥＢ照射によるラジカル重合による架橋処理を行なうことによって防漏カフ５の表面に固着させ、その後、第２のシリコーン系化合物を塗工する。非反応性のシリコーン系化合物としては、非反応性シリコーンオイル、例えば、ジメチルシリコーンオイル、メチルフェニルシリコーンオイル、アルキル変性シリコーンオイル、アラルキル変性シリコーンオイル、ポリエーテル変性シリコーンオイル、フルオロアルキル変性シリコーンオイル及び脂肪酸エステル変性シリコーンオイルからなる群より選ばれる少なくとも一種の化合物であることが好ましい。
【００３８】
その他、前記（１）においては、第１のシリコーン系化合物として、ポリシロキサン、シリコーンアルキドワニス、シリコーンエポキシワニス、シリコーンポリエステルワニス、シリコーンアクリルワニス、シリコーンフェノールワニス、シリコーンウレタンワニス、シリコーンメラミンワニスなどのシリコーンワニスや、ジメチルシリコーンゴム、メチルビニルシリコーンゴム、メチルフェニルビニルシリコーンゴム及びメチルフルオロアルキルシリコーンゴムなどのシリコーンゴムも用いることができる。
【００３９】
次に、第２のシリコーン系化合物について説明する。第２のシリコーン系化合物の表面張力は、第１のシリコーン系化合物の表面張力より低く、第２のシリコーン系化合物の表面張力は、第１のシリコーン系化合物の表面張力より、５．０ｍＮ／ｍ以上小さいことが好ましい。また、汚れ付着防止効果を高めるため、第１のシリコーン系化合物として表面張力が３０．０ｍＮ／ｍ以下のものを使用する場合、第２のシリコーン系化合物の表面張力は２１．０ｍＮ／ｍ以下であることが好ましい。
【００４０】
前記（１）においては、第２のシリコーン系化合物が非反応性シリコーンオイルであることが好ましく、例えば、ジメチルシリコーンオイル、メチルフェニルシリコーンオイル、メチルハイドロジエンシリコーンオイル、ポリジメチルシロキサンジオール、アルキル変性シリコーンオイル、アラルキル変性シリコーンオイル、ポリエーテル変性シリコーンオイル、フルオロアルキル変性シリコーンオイル、脂肪酸エステル変性シリコーンオイル、アミノ変性シリコーンオイル、エポキシ変性シリコーンオイル、カルボキシル変性シリコーンオイル、メタクリル変性シリコーンオイル、アルコール変性シリコーンオイル、メルカプト変性シリコーンオイル及びビニル変性シリコーンオイルからなる群より選ばれる少なくとも一種の化合物であることが好ましい。
【００４１】
また、前記（２）（３）の場合、第２のシリコーン系化合物は非反応性シリコーン系化合物であることが好ましく、例えばポリシロキサン、シリコーンアルキドワニス、シリコーンアクリルワニス、シリコーンフェノールワニス、シリコーンウレタンワニス、シリコーンメラミンワニス及びジメチルシリコーンゴムからなる群より選ばれる少なくとも一種の化合物であることが好ましい。
【００４２】
なお、優れた排泄物付着防止効果を得るため、前記（１）においては、第１のシリコーン系化合物で形成される下地層の厚みが少なくとも０．１μｍ以上であることが好ましい。さらに好ましくは０．３μｍである。また、第２のシリコーン系化合物で形成される表面層の厚みが少なくとも０．１μｍ以上であることが好ましい。さらに好ましくは０．２μｍである。なお、前記（２）（３）の場合も分離した後の各層の厚みがこの程度になることが好ましい。
【００４３】
またシリコーン系化合物の固定は、シリコーン系化合物を架橋させる方法として一般に用いられている方法により行なうことができる。例えば、加熱による縮合架橋・付加架橋や、ＵＶによるカチオン重合・ラジカル重合や、ＥＢによるラジカル重合である。
【００４４】
防漏カフ５を形成するシート上にシリコーン系化合物を塗付する方法としては、エアドクタコータ、ブレードコータ、ロッドコータ、ナイフコータ、スクイズコータ、含浸コータ、リバースロールコータ、トランスファロールコータ、グラビアコータ、キスロールコータ、キャストコータ、スプレーコータ、カーテンコータ、カレンダコータまたは押出コータなどの塗工方法を用いることができる。なお、コーターを用いてシリコーン系化合物を塗工するにあたり、層を均一に且つ薄く塗工するためにシリコーン系化合物は粘度が５００ｍｍ2／ｓ以下であることが好ましい。
【００４５】
生理用ナプキン１において、液透過性トップシート４は、親水処理されたＰＥ繊維、ＰＰ繊維、ＰＥＴ繊維、またはこれらの複合繊維などで形成された不織布であり、スパンボンド不織布、スパンレース不織布、エアースルー不織布、サーマルボンド不織布などである。あるいは開孔処理が施された樹脂シートである。
【００４６】
バックシート２は不透液性のシートで形成されることが好ましい。バックシート２は、通気性の樹脂フィルム、撥水処理されたスパンボンド不織布、メルトブローン不織布、またはそれら２つの複合不織布、あるいは不織布と通気性の樹脂フィルムとのラミネートシートである。なおバックシート２のＺ２方向の裏面には、下着などの外部装着体などに掛止させるための粘着層２ｆが設けられている。なお、生理用ナプキンの使用時まで粘着層２ｆを保護するための離型紙も設けられることが好ましい。
【００４７】
吸収コア３は、粉砕パルプあるいは粉砕パルプと高吸水性ポリマーの混合物などにより形成され、粉砕パルプあるいは粉砕パルプと高吸水性ポリマーとの混合物がティッシュなどの吸収性シートで包まれたものである。
【００４８】
弾性部材７は天然ゴム、合成ゴム、ポリウレタン、スチレン−ブタジエン共重合体から形成されるエラストマーであり、その形状としては、糸状、フィラメント状、フィルム状、帯状（ベルト状）などの形態を取り得る。またはエラスチックスパンボンド不織布やエラスチックメルトブロン不織布などの伸縮性不織布を切断したもの等も使用可能である。ただし、弾性部材７が設けられる代りに、防漏カフ５自体を収縮性を持つシートや不織布で形成したり、通常のシートや不織布に細かな凹凸を付して収縮性を持たせたもので形成してもよい。
【００４９】
図３は、本発明の第２の実施の形態を示す断面図であり、第１の実施の形態の図２に相当する。図３に示す生理用ナプキン１Ａでは、図２のようにシリコーン系化合物の層８は防漏カフ５の表面には設けられておらず、生理用ナプキン１Ａの吸収コア３のＸ方向外側から両側縁部１Ｒ，１Ｌへ延びるフラップ部６、６の表面にシリコーン系化合物の層８Ａが設けられている。この生理用ナプキン１Ａでは、トップシート４の中央部から、フラップ部６、６へ経血などの排泄液が流れても、シリコーン系化合物の層８Ａによって生理用ナプキン１Ａの外へと漏れることを防止できる。
【００５０】
なお、前記防漏カフ５、５を設けず、前記層８Ａが形成されて前記フラップ部６の両側縁部１Ｒ、１ＬにＹ方向へ延びる弾性部材を設け、フラップ部６、６が肌当接側へ立ち上がって実質的に防漏カフを形成しているものであってもよい。
【００５１】
また前記防漏カフ５、５とフラップ部６、６の双方に前記シリコーン系化合物の層を形成してもよい。
【００５２】
また、防漏カフ５とフラップ部６の双方に弾性部材が設けられていてもよい。図４は、本発明の第３の実施の形態を示す断面図である。図４に示す吸収性物品は生理用ナプキン１Ｂである。生理用ナプキン１Ｂの両側部では、両側縁部１Ｒ，１Ｌから吸収コア３の側部まで延びるバックシート２上にフラップ用シート９が設けられている。そして、バックシート２とフラップ用シート９は互いに接合されてフラップ部６Ｂ、６Ｂを形成している。生理用ナプキン１Ｂは、前記生理用ナプキン１、１Ａに設けられているような防漏カフ５を有しないが、フラップ部６Ｂの端部（生理用ナプキン１Ｂの両側縁部１Ｒ，１Ｌ）には弾性部材７が設けられ、フラップ部６Ｂの端部が装着者の方向（Ｚ２方向）へ立ち上っている。フラップ用シート９の表面にはシリコーン系化合物の層８Ｂが設けられている。
【００５３】
図５は、図４に示した生理用ナプキン１Ｂの変形例（第４の実施の形態）を示す断面図である。図５に示す生理用ナプキン１Ｃでは、フラップ用シート９Ｃが、生理用ナプキン１Ｃの両側縁部１Ｒ，１Ｌからトップシート４上の吸収コア３が存在する領域まで延びている。そして、シリコーン系化合物の層８Ｃもフラップ用シート９Ｃの表面全体を覆うように、両側縁部１Ｒ，１Ｌからトップシート４上の吸収コア３が存在する領域まで延びている。この場合、肌当接面は吸収コア３が存在する領域以外は全てシリコーン系化合物の層で覆われることになるので、漏れ防止効果が更に高くなる。
【００５４】
なお、フラップ部は様々な形態を取り得る。例えば、図６の生理用ナプキン１Ｄ（第５の実施の形態）に示すように、フラップ用シート９Ｄのみでフラップ部６Ｄを形成し、シリコーン系化合物の層８Ｄを設けても良い。また、図７の生理用ナプキン１Ｅ（第６の実施の形態）に示すように、バックシート２Ｅを生理用ナプキン１Ｅの両側縁部１Ｒ，１Ｌにおいてトップシート４側で且つ中央線Ｌ０に向かって折り返し、フラップ部６Ｅを形成しても良い。この場合、フラップ部６Ｅを形成するバックシート２Ｅの表面にシリコーン系化合物の層８Ｅが形成されている。
【００５５】
図８は、本発明の第７の実施の形態を示す断面図である。図４に示す吸収性物品は、使い捨ておむつ１Ｆである。使い捨ておむつ１Ｆでは、防漏カフ５のＸ方向の外側に対面する表面、すなわち外側面５ｎ、５ｎにシリコーン系化合物の層８Ｆが設けられている。この場合においても尿や便が防漏カフ５の外側面５ｎ上の層８より外へ滲み出ることがない。
【００５６】
以上、本発明の吸収性物品について生理用ナプキン及び使い捨ておむつを例に挙げて説明したが、使い捨ておむつや、尿取りパッドやパンティライナーなどその他の吸収性物品であってもよい。また、シリコーン系化合物の層が設けられる防漏カフは一つに限られず、２つまたは３つ以上の防漏カフに設けられていてもよい。
【００５７】
【実施例】
以下、本発明を実施例によりさらに詳しく説明するが、本発明はこれらの実施例に限定されるものではない。
【００５８】
防漏カフ用のシートとして、ポリエチレンフィルム表面に溶媒で希釈された紫外線効果型シリコーンを厚み０．５μｍで塗工し、溶媒を乾燥させた後、紫外線（３５０ｎｍ、１２０ｗ／ｃｍ）を１秒間照射した。得られたシートを比較例３とした。
【００５９】
また、ジメチルシリコーンオイル（粘度２０ｍｍ／ｓ2、表面張力２０．８ｍＮ／ｍ）を厚み２０μｍで塗工した。得られたシートを比較例４とした。
【００６０】
さらに、前記比較例３と同様にして得られたシートのシリコーン樹脂層表面に、比較例４と同じジメチルシリコーンオイルを比較例４と同様にして塗工し、得られたシートを実施例１とした。
【００６１】
実施例１および比較例３、４について、以下に述べる接触角の測定及び滑落―付着性評価試験を行なった。また、さらに比較例として、ポリエチレンフィルム及びポリテトラフルオロエチレンフィルムについても実施例と同様にして汚れの付着防止効果について試験を行なった。それぞれの結果を表１に示す。
【００６２】
（接触角）
協和界面化学株式会社製の接触角計「ＣＡ−Ｓミクロ２型」を使用し、馬血をシリコーン系化合物の層の表面に滴下し、平衡に達したときの接触角を測定した。
【００６３】
（滑落―付着性評価試験）
３０ｍｍ×１１０ｍｍに切断した実施例１および比較例４のサンプルにおいて、シリコーン系化合物の層の表面をスパンレース不織布で２０回摩擦した。摩擦後のシートを水平な台上に載せ、シートの端から１ｃｍ内側に馬血０．２ｇを滴下した。前記台を１度／秒の速度で傾け、馬血がながれ始めた時点の前記台の角度を滑落角とした。また馬血が完全にながれきった後の馬血の付着量を測定した。
【００６４】
【表１】
0003850629.tif 000002
【００６５】
上記結果より、ポリエチレンフィルムやフッ素系の撥水シートよりもシリコーン系化合物の層が設けられたシートの方が小さい角度勾配で血液等が流れ落ちるため、汚れの付着量が少ないことがわかるが、さらに、本発明のシリコーン系化合物の層は２層構造であるので、摩擦に対する抵抗性が強いものとなることがわかる。よって、生理用ナプキンの防漏カフやフラップに本発明のシートを用いることにより、経血が付着しにくい優れた防漏カフやフラップを形成することができる。
【００６６】
【発明の効果】
本発明では、防漏カフやフラップにシリコーン系化合物層が設けられており、排泄物は防漏カフから透過しにくくなり、排泄物の滲み漏れを防止できる。
【００６７】
さらに、シリコーン系化合物層の表面には排泄物が付着しにくく、特に蛋白質を含んだ経血や、粘度の高い軟便や水様便であっても付着しにくく、吸収性物品の交換時に装着者や介護者に不快感を与えにくいが、特に２層構造もしくはほぼ２層構造のシリコーン系化合物の層を形成することにより、摩擦に対しても剥離や脱離や裂傷がおきにくく、特に優れた撥水効果並びに排泄物付着防止効果を持つ防漏カフを得ることができる。
【図面の簡単な説明】
【図１】本発明の第１の実施の形態の生理用ナプキンを示す平面図
【図２】図１のＩＩ−ＩＩ線の断面図
【図３】本発明の第２の実施の形態の生理用ナプキンを示す断面図
【図４】本発明の第３の実施の形態の生理用ナプキンを示す断面図
【図５】本発明の第４の実施の形態の生理用ナプキンを示す断面図
【図６】本発明の第５の実施の形態の生理用ナプキンを示す断面図
【図７】本発明の第６の実施の形態の生理用ナプキンを示す断面図
【図８】本発明の第７の実施の形態の使い捨ておむつを示す断面図
【符号の説明】
１、１Ａ、１Ｂ、１Ｃ、１Ｄ、１Ｅ、１Ｆ  生理用ナプキン
１Ｒ，１Ｌ  側縁部
１ｅ  端部
２、２Ｅ  バックシート
２ｆ  粘着層
３  吸収コア
４  トップシート
５  防漏カフ
５ａ  自由端
５ｂ  固定端
５ｍ  内側面
５ｎ  外側面
６、６Ｂ、６Ｃ、６Ｄ、６Ｅ  フラップ部
７  弾性部材
８、８Ａ、８Ｂ、８Ｃ、８Ｄ、８Ｅ、８Ｆ  シリコーン系化合物の層
Ｌ０  縦中央線
【図１】
0003850629.tif 000003
【図２】
0003850629.tif 000004
【図３】
0003850629.tif 000005
【図４】
0003850629.tif 000006
【図５】
0003850629.tif 000007
【図６】
0003850629.tif 000008
【図７】
0003850629.tif 000009
【図８】
0003850629.tif 000010